(57)【要約】【課題】安全で、創造性がある知育の幼児用遊具を開発する。【解決手段】少なくとも三枚以上のパネルからなり、各パネルは矩形で底面を平坦にして自立する厚みを有するもので、各パネルには上下左右の端部に小孔を設け、その小孔に紐・テープ等の接続手段で連結し、その接続手段は隣接するパネルの端部を隙間おいて小孔を通して取り付けた紐等であって、各パネルは前記接続手段で間隔の余裕分を可動にして順次連結した構成である。数枚のパネルを連結した連結パネルの中のパネル一枚又は二枚を、地面や床や壁に設置された固定部に固着し、その他のパネルを可動にした固定幼児用遊具も提供する。【選択図】図１
0003177907.tif 000002
【実用新案登録請求の範囲】
【請求項１】
少なくとも三枚以上のパネル（１ａ）（１ｂ）（１ｃ）（１ｄ）（１ｅ）（１ｆ）・・・（１ｎ）からなる連結パネルであって、各パネルは矩形で底面を平坦にして自立する厚みを有するもので、各パネル（１ａ）・・・（１ｎ）には上下方左右の端部（１１）（１１）に小孔（１２）（１２）を設け、その小孔（１２）（１２）に接続手段（２）で連結し、その接続手段（２）は隣接するパネル（１）の端部（１１）（１１）の小孔（１２）（１２）を通して、隙間（３）をおいて細い部材で連結するものであって、各パネル（１ａ）（１ｂ）（１ｃ）（１ｄ）（１ｅ）（１ｆ）・・（１ｎ）は前記接続手段（２）で間隔（３）の余裕分を可動にして順次連結した構成を特徴とする幼児用遊具。
【請求項２】
前記請求項１記載の連結パネル（１ａ）（１ｂ）（１ｃ）（１ｄ）（１ｅ）（１ｆ）・・・（１ｎ）の中のパネル一枚又は二枚を、地面（Ｇ）や床や壁に設置された固定部（４）に固着し、その他のパネル（１ａ）（１ｂ）・・（１ｎ）を前記接続手段（２）で間隔（３）の余裕分を可動にして順次連結したことを特徴とする幼児用遊具。
【請求項３】
公園や部屋の所定面積内に位置と向きを異にした数個所に固定部（４）を設け、前記その各固定部（４）の各々に、請求項１記載の前記連結パネルの一枚又は二枚を固着して連結パネルを伸縮自在に立設し、伸延し屈折し折り畳みする連結パネルを数個セットで配置し組み合わせたことを特徴とする幼児用遊具。
【請求項４】
前記接続手段（２）は、リング（２２）と柔軟なスペーサー（２１）とリング（２２）とからなり、パネル（１ａ）（１ｂ）・・の小孔（１２）（１２）に補強の管（５）を装填している請求項１又は請求項２のいずれかに記載の幼児用遊具。
【請求項５】
前記パネル（１ａ）（１ｂ）（１ｃ）（１ｄ）（１ｅ）（１ｆ）・・・（１ｎ）は、角丸の矩形板体で、底面を平坦にして自立する厚みを有し、発泡スチロール又は紙、ダンボール、木材、合成樹脂板等の内材にガラス繊維のサーフェスマットを張り不飽和ポリエステル樹脂をコーティングして積層を形成したもので、外周辺内側に緩衝バー（６）を付設した請求項１〜請求項４のいづれかに記載の幼児用遊具。
【考案の詳細な説明】
【技術分野】
【０００１】
本考案は、幼児の遊具に関するものである。
【０００２】
本考案は、公園等に設置する固定遊具、室内の可動な遊具にもでき、特に３歳から６歳位までの幼児の身体鍛錬及び知育創造性の向上に効果があり、安全性の高い遊具に関するものである。
【背景技術】
【０００３】
幼児用遊具には、アミューズメント系遊具（すべり台  アスレティック  ダルマ落し等）や、クッション遊具やウレタン遊具（ウレタンブロック等）、ウッディ系遊具（木製ハウス）、布製遊具等があるが、幼児自身が遊び方を工夫創出することを前提とするものは少ない。
例えば遊具として中空の正四角立方枠体を作製し、中に出入りさせたり、動かしたりして遊び方を工夫させる遊具もあるが、遊びに幼児の主体性を若干は発揮させるが、遊具自体は位置や形状を変えるものでないので、工夫の限界があり、飽きてしまうことが多い。
【０００４】
又、従来の公園の遊具は、滑り台や築山など、１０歳前後の子どもの身体活動等を標準に造られ導入されているものが多かった。そのため、３歳〜６歳位の幼児にとっては、その高さや大きさの点だけでも安全面の要件を十分には満たさない幼児用遊具が散在する状況にある。
公園遊具は、管理上の都合もあり、原則全部が固定遊具である。
【０００５】
通常の幼児用固定遊具は地面や床に固定することで、安定性および安全性を担保しているが、しかし、固定幼児用遊具は可動性・自由性に欠けるため、幼児が創意工夫して遊ぶ機会を制約しているのではないかという面がある。
実際に、固定幼児用遊具は子どもの関わりはあっても、自由性に限度があり、幼児が創意工夫の力を協同して十分に発揮することは困難である。
【０００６】
本件考案者は  幼児が、遊具の形体の変化・動きを体験でき、空間感や、遊具部品の関連性を認識し、体でそれを実体験しながら、個人として或いは仲間とともに、遊び方を工夫するような体育と知育の向上を企図する遊具を企図している。
本考案の幼児用遊具の特徴は、第一に遊具の自発的な位置替えや変形ができることであり、第二にその変形によって、幼児自身が遊び方を工夫し、遊びを創出できる点である。
幼児用遊具の一部を任意の箇所に移動したり、曲げたりして、空間を変化させ、行動する環境（場所感）を変化させる動作を自然に誘導することができる。
【０００７】
又、幼児に遊具を与えての、実際の操作実験や、保護者視線での実感調査により、遊具の重量や、色調や模様、厚さや全体の形状、半透明材料、などは、年令群等でも様々変更できるものである。
【０００８】
もとより、幼児用遊具においても、保育所保育指針に基づく自発的、意欲的で協同的に関われる環境構成の中で、好奇心と創意工夫のもとに遊びを協同的に展開できる環境を求められている。
そのような前提において使用される幼児用遊具は、幼児の運動能力や動作能力に相応した構造の単純化や遊具を全体認識ができるものとしての年令に応じた単純化が必要であり、企画段階やテストの段階から、個としての遊び及び複数人としての想定外の遊びまで予想推測して、安全面には特に厳しく開発することが求められる物品である。
【０００９】
本考案の幼児用遊具は、基本は固定手段で固定幼児用遊具となるものであり、固定手段を外すことで可動幼児用遊具にもなる構成である。
特に３〜６歳の知育に有効な自由性のある幼児用遊具である。
【００１０】
その基本的構成は、少なくとも三枚以上で、数枚のパネルを少なくともその一端を自由性をもたせて連結した遊具で、その連結は隣接するパネルの一端部を隙間をおいて接続手段で連結し他構成である。
パネルの大きさは、幼児の身長より低く、身長の約半分〜４分の３程度の高さである。
固定遊具としたときはその中の一枚又は二枚を地面等の固定部に固着しその他のパネルを順次可動に連結した遊具である。
【００１１】
この構成の先行幼児用遊具は、見当たらないが、パネルを連結したパーテーションなどは公知であるので特許文献１として開示する。
因みに屏風やパーテーションは、連結に自由性がないことが必須であるで、構造的にも異なる。もとより、遊具としての技術ではないので、大きさや重量などは異質である。
【先行技術文献】
【特許文献】
【００１２】
【特許文献１】特開２０１０−２７０４４８
【考案の概要】
【考案が解決しようとする課題】
【００１３】
従来の固定幼児用遊具は、上述の通り、遊具自体が変化することはないので、幼児が創意工夫して遊ぶ意欲、つまりは好奇心や自発性を向上させることは期待できない。
【００１４】
本考案は、幼児が幼児用遊具を動かしたり、組み合わせたりしてみることで、創意工夫する知育の発達に欠くことのできない好奇心や自発性を向上させる幼児用遊具を提供することを課題とする。
【課題を解決するための手段】
【００１５】
本件考案者は、具体的課題として幼児用遊具として求められる安全かつ、創意的で幼児の知育発達を目指した特徴を持つことを掲げ、課題の解決に臨んだ。
【００１６】
上記課題を解決するために本考案では、幼児が自分の力で少しでも移動させたり、動かしたり、揺らしたり、合わせたりして、空間を形成するなどの自主的に遊びを創出できる幼児用遊具を案出した。
【００１７】
本考案の幼児用遊具は、数枚のパネルからなる。
パネルは、軽量な素材（コーティングしたハニカム構造ダンボール・発泡スチロールに樹脂コーティングした構造・軽量樹脂板・軽量質木板・ジャージ生地布を接着した硬質樹脂ゴム板）の矩形板体である。
少なくとも三枚以上のパネルを少なくとも夫々その一端を自由性をもたせて連結した遊具であって、その連結は隣接するパネルの一端部を隙間をおいて紐で連結し、その中の一枚又は二枚を地面等の固定部に固着しその他のパネルを順次可動に連結した遊具である。
パネルの一端部を次のパネルと隙間をもって、自由性（遊び）を保持して連結した特徴がある。
【００１８】
パネルの一端を自由性をもたせて連結するには、連結が可動域を制約しないように可及的に自由性のある接続手段が採用される。
接続手段は、パネルの肩端部に小さな孔を貫通穿設してそこに細い強靭な紐を通し、中間に少し余裕分をもって間隔を形成して、結んだ紐の形として略∞状或いは平面視で略「○―○」状に連結したものである。
パネルは、その余裕分だけ可動に連結して、その中間の余裕分の範囲を自在に動ける。
隣接するパネルの端部の小孔を通して、隙間おいて細い部材で連結するものであるので自由可動である。
小さな孔にはパネル素材によっては、補強用の管を装填する。
【００１９】
前記パネルの接続手段は、ビニロンロープなどの紐やテープが好ましい。
代替する炭素繊維テープや金属環や金属チェーンはできるだけ細いものや細かい目のものが選ばれる。
接続手段の取り付け態様は若干の遊びをもたせることが重要であり、幼児のひ弱な力で、パネルを曲げたり、延ばしたり、合わせ重ねたりする動きをあまり制約しない態様で取り付けられる。
ロープ類は、その素材からして動きには自由性がある。耐久性から交換時期を適正に管理すれば好ましい素材である。
【００２０】
本件考案の幼児用遊具は、公園の所定固定部への固定手段を設けていて固定幼児用遊具となる。
固定手段は、杭や埋設板  埋設溝への連結になる。固定手段があるため、持ち去りや倒れが無くなり安全怒が高い。
例えば６枚のパネルを連結した遊具を、一セットとして、遊ぶこともできるし、その遊具を二セット以上の組み合わせとして遊ぶこともできる。
公園に４セットをスクエアに配置して、多人数での囲い遊びなどを誘導することもできる。
配置や固定個所は、予めセッティングしておくことが必要であるが、セッティング後は、位置移動や変形は幼児の自由に任せることが可能である。
【００２１】
本考案の請求項１に示す幼児用遊具は、少なくとも三枚以上の連結パネルであって、各パネルは矩形で底面を平坦にして自立する厚みを有するもので、各パネルには上下方左右の端部に小孔を設け、その小孔に紐・テープ等の接続手段で連結し、その接続手段は隣接するパネルの端部の小孔を通して隙間をおいて細い部材で連結するものであって、取り付けた各パネルは前記接続手段で間隔の余裕分を可動にして順次連結した構成を特徴とする幼児用遊具である。
パネルは、相互に屈折する接続手段で連結されているので、折り畳み自在で、屈折して、ジグザグに曲げたり、円を囲み空間を形成するなどして自立する。
【００２２】
請求項２は、数枚のパネルを連結した連結パネルの中のパネル一枚又は二枚を、地面や床や壁に設置された固定部に固着し、その他のパネルを前記接続手段で間隔の余裕分を可動にして順次連結したことを特徴とする幼児用遊具である。
【００２３】
請求項３は公園や部屋の所定面積内に位置と向きを異にした数個所の固定部を設け、前記その各固定部の各々に、請求項１記載の前記連結パネルを固着して伸縮自在に立設し、伸延し屈折し折り畳みする連結パネルを数個セットで配置したことを特徴とする組み合わせの幼児用遊具である。
パネルは数枚が連結した形態で連結パネルとして構成され、その中の中間付近の一枚又は二枚のパネルは、部屋の壁、床、公園の地面等に設置された固定部に固着される。
固定されたパネルの姿勢状態にならって、連結された各パネルは同じように立姿勢で連なってゆく。
【００２４】
パネルの底面端縁は、平坦で、垂直姿勢にすると本来自立するので、固定された一枚又は二枚のパネルが立った状態であると、他の連結したパネルも立った姿勢を維持する。
さらに、本考案においては、連結パネルを数個セットで配置し、２セット以上組み合わせて遊ばせることで、組み合わせの幼児用遊具となる。
幼児の創造力にまかせて遊ばせることができる。
【００２５】
２個以上配置される幼児用遊具は、相互にそれぞれの固定部を基点として自在に動けるように配置して、全体を固定幼児用遊具として提供できる。
各固定幼児用遊具は、ある程度間隔をおいて接触しないように配置する。
これにより、幼児は他のもう一方の幼児用遊具との相関関連を構築して、より創造的な空間を形成して遊ぶことが可能になる。
また、もう一方の幼児用遊具で遊ぶ幼児と協同的あるいは競争的な遊びを自発的に創造することも考えられる。
具体的には、例えば連結パネルを４個は正方形の範囲のコーナーに設置すると各々のパネルを幼児たちが他のコーナーの動きを意識して、共通なイメージなどに基づき、一つの融合体（例  迷路  基地  スクエア  道  同じ丸型等の型）を作り上げる協同作業を自発的に行うことになる。
【００２６】
請求項４は接続手段に関するものであり、２つのリングを繋いだ中間にスペースを形成した接続手段と、パネルの素材によっては、小孔に、補強のため管を装填したものである。
【００２７】
請求項５はパネル自体の構造に関するものである。
パネルは、外周にバリや凸凹のない角丸の矩形板体で、幼児が手で握られる厚みでかつ底面を平坦にして自立する厚みを有し、発泡スチロール又は紙、ダンボール、木材、合成樹脂板等の内材にガラス繊維のサーフェスマットを張り不飽和ポリエステル樹脂をコーティングして表層に破損しにくい積層を形成したものである。
パネルの外周辺内側の表裏面に緩衝樹脂バーを付設している。
パネルは、室内外の設置を考慮すると、耐候性耐久性が要請され、かつ所定の重量内の素材で作成される。
【００２８】
パネルは、可動で、移動し、他のパネルと折り畳まれ、延ばされ、屈折して、通路を作り囲いを作って幼児が直接に遊ぶので、どのような動きや姿勢に対しても安全であることが要請される。
パネルの硬度やエッジ縁部の処理、小孔の大きさや接続具の隙間などを、試行で確認しながら製作される。
【考案の効果】
【００２９】
前記接続手段は、本体パネルの小孔に可動に連結された紐やロープや鎖であって、中間に間隔分のスペーサーをおいて小孔にリングを嵌めて隣接するパネルを接続している。
【００３０】
これらの構成により、幼児が幼児用遊具本体を立てる、延ばし、位置を変え、迷路を作り、囲いを作る等の動作が可能である。
これらの動作を繰り返す過程で、幼児の身体的機能の発達を助けることができる。
さらに、既述の可動性により、幼児が工夫して様々な動きを創造し実践することができ遊びが発展していく。
セットの数は、幼児期の発達段階，利用状況，利用頻度等に応じ必要な数，規模，設置位置等を変化させることができ、幼児の興味や関心，遊びの変化等に応じ幼児用遊具の再配置ができ、幼児のみで利用しても十分な安全性及び耐久性を備えている。
安全点検も容易である。
【００３１】
幼児用遊具は、３〜６歳位の幼児の知育が主たる目的であるので、遊び方を制約することがない簡単な構造であることが必要であるが、一方、創造的な遊びができるような形態であることも重要であり、本考案の幼児用遊具は、両者を備えた構造になっている。
【００３２】
本考案の幼児用遊具は、上記構成であるので、次のような効果がある。
Ａ：パネルは、遊具としては幼児の身長より低く、幼児にとって、動かしやすく、馴染みやすい遊具である。
Ｂ：遊具としての自由性がある。パネルを折り畳み引き伸ばし、屈折させ、幼児は自由に遊具を変形させて遊びを創出できる。
固定部に固定又は連結した態様であれば、出し入れや持ち去りをふせぎ、管理の心配がない。
固定部の設置個所が決定しているのでスペースが定まり、遊びスペースが確保できる。
立姿勢のパネルが固定されていると、引き伸ばして遊ぶときに立姿勢でのパネルイメージを形成をするので、幼児はイメージ形成がしやすい。
Ｃ：数枚接続されたパネルは、軽量であり、パネルとパネルの間に間隔があるので屈折が自在自由で、自立する。指を挟む危険性が無い。
自立するので、幼児でも延伸が容易である。
Ｄ：パネルは、軽量で、表面加工して十分な強度があり、幼児の安全に十分な構造であり、その連結パネルは公園等に数セットが固定されて遊具が形成されるが、連結パネルを複数個配置することで、無数に変形が可能になる。
連結パネルを複数設置すると、幼児はそれらの関係を意識し、融合体を作り出すことも、多くの行動の選択をすることになる。
【図面の簡単な説明】
【００３３】
【図１】本考案に係る幼児用遊具の実施例１を示す斜視図である。
【図２】本考案に係る幼児用遊具のパネルの斜視図で、公園等に設置すべく固定部に取り付けられた状態を示す斜視図        小孔を補強する管、パネルの断面図を示している。
【図３】同じく本考案に係る幼児用遊具の実施例２で、公園の一定の範囲に固定部を前後左右４個所に設け、この固定部に連結パネルの一つのパネル（１ｃ）を固着し配置した状態の平面図である。
【図４】実施例１のパネル１枚（１ｃ）を床に立てないで固着し、他のパネルも床に立てないで伏せた状態で設置した遊具を示す側面図である。        接続手段を１カ所にしてあり屈折の自由性が高い。
【図５】固定部の他の例を示すもので、パネルを差し込む細溝孔を有する固定部を示す斜視図である。
【図６】パネルの上方の小孔を接続手段で連結した連結パネルと、パネル（１ｃ）を差し込むための固定部を示す正面図である。
【図７】一定の範囲に固定部を４個所に設けて、連結パネルのうち一枚のパネル（１ｃ）をその固定部に連結配置した状態の斜視図である。
【考案を実施するための形態】
【００３４】
次にこの考案の実施形態を説明する。
幼児用遊具は、少なくとも三枚以上のパネル（１ａ）（１ｂ）（１ｃ）（１ｄ）（１ｅ）（１ｆ）・・・（１ｎ）からなり、各パネルは矩形で底面を平坦にして自立する厚みを有するもので、各パネル（１ａ）・・・（１ｎ）には上下左右の端部（１１）（１１）に小孔（１２）（１２）を設け、その小孔（１２）（１２）に接続手段（２）を設け、その接続手段（２）は隣接するパネル（１）の端部（１１）（１１）の小孔（１２）（１２）を通して、隙間（３）おいて細い部材で連結している。
その接続手段（２）で連結パネルを形成するもので、各パネル（１ａ）（１ｂ）（１ｃ）（１ｄ）（１ｅ）（１ｆ）・・（１ｎ）は前記接続手段（２）で間隔（３）の余裕分を可動にして順次連結した構成である。
【００３５】
幼児用遊具には、固定幼児用遊具とする場合には固定手段が設けられる。
例えば、パネル（１ｃ）は、図示の杭状の固定部（４）で固定される。
パネルは一枚又は二枚を固定する。
連結パネルは、２個以上セットで組み合わせて配置でき、相互にそれぞれの固定部（４）を基点として折り畳み、伸縮屈折し、間隔をおいて配置して使用する。
【実施例１】
【００３６】
次にこの考案にかかる幼児用遊具の実施例を図面に基づいて説明する。
図１は本考案に係る幼児用遊具の実施例１を示す斜視図である。
【００３７】
実施例１のパネル（平面板体）（１ａ）（１ｂ）（１ｃ）（１ｄ）（１ｅ）（１ｆ）は、１枚が、角丸の矩形で底面を平坦にして自立する厚みを有するもので、横３５ｃｍ、長手辺＝縦５５ｃｍ、厚さ２ｃｍの大きさである。
素材によっては軽量化できるので、幼児が握ることかできる厚さの５ｃｍ位まででも可能である。
重さは、１．５Ｋｇ以下に抑えている。
実施例１はパネル単体を６枚連結した連結パネルを示している。
連結パネルは６枚に限らず、（１ａ）・・（１ｎ）枚連結できる。
【００３８】
パネル（１ａ）（１ｂ）（１ｃ）（１ｄ）（１ｅ）（１ｆ）・・（１ｎ）は、角丸の矩形板体で、底面を平坦にして自立する厚みを有し、発泡スチロールの内材にガラス繊維のサーフェスマットを張り不飽和ポリエステル樹脂をコーティングして積層を形成したもので、外周辺内側に緩衝バーを付設している。
パネルは、発砲スチロールを板状に成形したものに、ガラス繊維マットを数回はり、樹脂塗料でコーティングして必要強度を得たものである。
積層数で強度の要請にかなうことができるし、カラフルに絵や図柄をペインティングすることも可能である。
パネルの色彩も適宜選定される。
【００３９】
発泡スチロールの内材は、紙、ダンボール、木材、合成樹脂板等で代替することも可能である。
パネル（１ａ）（１ｂ）・・は、幼児の様子を観察するうえでは、半透明素材で作成することもできる。
中空構造の半透明合成樹脂板、ハニカム構造の透明樹脂板等のパネルである。
素材としてはＢＰＰ（ビーズドポリプロピレン）やＰＰ（ポリプロピレン）、ＰＥ（ポリエチレン）といったものがある。
【００４０】
各パネル（１ａ）・・      ・（１ｎ）には上下左右の端部（１１）（１１）に、直径９ｍｍの小孔（１２）（１２）を設け、その小孔（１２）（１２）に隣接するパネルとの接続手段（２）を設けている。
小孔（１２）の径は、４ｍｍ〜９ｍｍ位で指の入らない径になる。
その接続手段（２）は隣接するパネル（１）の端部（１１）（１１）の小孔（１２）（１２）を通して、隙間（３）おいて細い部材で連結するものである。
接続手段（２）の例としては、リング（２２）と柔軟なスペーサー（２１）とリング（２２）とからなる紐で作成する。
パネル（１）の折り畳み時には、リング（２２）はパネルの間に入って若干の空隙を作って、幼児の指を挟むことがない。
【００４１】
又、スペーサー（２１）は細い一本の紐が好ましく、屈折が容易である。
紐は直径４ｍｍ〜６ｍｍ位で、５ｍｍあたりで十分安全に連結できる。
パネル（１ａ）（１ｂ）・・の小孔（１２）（１２）には、補強のため合成樹脂製の管（５）を装填している。
【００４２】
接続手段（２）は、パネル（１ａ）・・・（１ｎ）の端部（１１）に小さな孔（１２）を貫通穿設してそこに細い強靭な紐や細いテープ或いは金属製の細い鎖を通し、中間に少し余裕分をもって間隔を形成して、結んだ紐の形として略∞状或いは平面視で略「○―○」状に連結したものである。
紐は、ビニロンロープとか強度のある樹脂製や炭素繊維のロープでもよい。
形としては、リング（２２）と柔軟なスペーサー（２１）とリング（２２）とからなる。
紐に限らず、柔軟な合成樹脂素材で、「○―○」状に成形してもよい。スペーサー（２１）は２５ｍｍの長さ（＝パネル間の間隔）である。
リング（２２）とスペーサー（２１）を設けることで、屈折しやすく、折り畳みやすく、折り畳みの際に幼児の手などが挟まれないように、隙間を開けて折り畳める。
【００４３】
パネル（１ａ）（１ｂ）・・の小孔（１２）（１２）には、内材によっては補強の管（５）を装填している。
パネルは、その隣接するパネルとの間隔＝余裕分だけ可動に連結して、その中間の余裕分の範囲を自在に動ける。
接続手段（２）は、上下２個所に取り付けられる。
【実施例２】
【００４４】
図２は、公園等に設置すべく固定部（４）に取り付けられた状態を示す斜視図である。固定した遊具でありながら、動かない固定部分と、幼児が動かせる可動部分の双方を持つ遊具となっている。
【００４５】
又、図２は、小孔（１２）を補強する管（５）、及びパネルの断面図を示している。
断面図を説明すると、内材にガラス繊維のサーフェスマットを張り不飽和ポリエステル樹脂をコーティングして積層を形成したもので、内材（発泡スチロール）にガラス繊維のサーフェスマットを張り、硬質樹脂と軟質樹脂を２層にコーティングして積層を形成したものを示す。
【００４６】
さらに、図示していないが、固定部（４）に連結パネルを設置するときに、地面や床が摩耗したり削れてしまうのを防ぐために地面等に緩衝材や防地表材を敷設するときもある。
但し、パネルは、軽量の素材も開発されており、防地表材は必要に応じて敷設される。
【００４７】
緩衝バー（６）は、細い柔軟な合成樹脂製で、外周辺内側に設けられたもので、折り畳んだ時に指を挟まない空間を作り、或いは打撃を緩衝するものである。
接続手段（２）に略「○―○」状の接続具を使うと○部分で指を挟まない間隙を形成するが、緩衝バー（６）は、はさらに安全のために設けられる。
固定幼児用遊具とするために、杭（４）などの固定部（４）に少なくともパネルのひとつをネジ留めする。
【００４８】
図５は、固定部の他の例を示すもので、パネルを差し込む細溝孔を有する固定部（４０）を示す斜視図である。
水抜き孔や留め具などは適宜装置される。
固定部（４０）は、パネルをその位置に固定するもので、図中矢標（Ｙ）のように地中（Ｇ）に差し込んで装填される。
固定部（４）（４０）の地下には十分な固定構造を埋設し、地表には大きな露出部が無い方が好ましい。
【００４９】
実施例では固定部（４）（４０）にパネル（１ｃ）を固定するものを示したが、
公園等の室外設置の場合は、この固定方法とは別に、固定部（４）（４０）にパネル（１ｃ）を金属製の鎖で連結することで、固定遊具として設置できる場合が考えられる。
この鎖での連結のときは、図４のように、立姿勢での連結ではなく、パネルが横臥した状態になる場合もある。
防地表材は必要に応じて敷設する。
【００５０】
図３は、実施例２で、公園の一定の範囲（幼児４名の意思疎通が良いスペースは、３．６ｍ平方とされているので、２，５ｍ〜３．６ｍ平方内に設置。）に固定部（４）を前後左右４個所に設け、この固定部（４）に、連結パネルの一つのパネル（１ｃ）を固着し配置した状態の平面図である。
【００５１】
実施例２は、連結パネル（１ａ）（１ｂ）（１ｃ）（１ｄ）（１ｅ）（１ｆ）・・・（１ｎ）の中のパネル（１ｃ）一枚を、地面（Ｇ）や床や壁に設置された固定部（４）に固着し、その他のパネル（１ａ）（１ｂ）・・（１ｎ）を前記接続手段（２）で間隔（３）の余裕分を可動にして順次連結している。
パネル（１ｃ）一枚が固定され、他は可動である。
可動なパネルはいろいろなイメージを形にすることができ、一人あそび、集団あそび、も自然に発生する。
【実施例３】
【００５２】
図４は、パネル１枚（１ｃ）を床に立てないで固着し、他のパネルも床に立てないで伏せた状態で設置した幼児用遊具を示す平面図である。
接続手段を１カ所にしてあり屈折の自由性が高くしたものである。
立ち起こしや回転などの動きができる。広い形のイメージが想定でき、幼児の自主性がさらに発揮できる固定遊具となる。
幼児用遊具で遊ぶ幼児同士が協同的あるいは競争的な遊びを自発的に創造することが期待できる。
【００５３】
図７は、一定の範囲（およそ２５０ｃｍ四方）の  外周付近に固定部（４）を４個所に設けて、夫々に連結パネルを固定したものである。
固定部（４）は、正方形の辺の位置に合わせて設ける形態のほか、ランダムな位置に設けても差し支えない。
連結パネルのうち一枚のパネル（１ｃ）をその固定部（４）に固定して、倒れないように配置している。
【００５４】
固定部（４）に固定された連結パネルは、その一枚のパネル（１ｃ）から次のパネル（１ａ）（１ｂ）・・（１ｄ）（１ｅ）（１ｆ）・・（１ｎ）が引き出され、幼児が、適当な方向へ順次引き伸ばし、屈折させ、囲いを作り、通路を作り、イメージのままに遊具となってゆく。
【００５５】
以上の実施例１・２の寸法は、あくまで実施例であり、素材によって厚みが変更されたり、幼児の年少年長の体格差にあわせて、微細な寸法の変更は予想できる。
寸法の変更で、小学生の遊具とすることも想定できる。
連結パネルは、２個以上をセットの遊具としても提供できる。多人数の協調的遊びを知育する場合は、数セットが必要になることもある。
又、収納時は、折り畳んだ状態になるが、畳んだ状態で自立するので、折り畳んだ状態でその場で鎖で緊縛して保管することも容易である。
【産業上の利用可能性】
【００５６】
公園に設置してある幼児用遊具などを使い外で遊ぶことは、協調性や広視野による立ち位置の認識などで、知育に不可欠な要素であると言われている。
本考案の幼児用遊具は、簡明な構成で、家庭用の知育幼児用遊具としても、公園や、屋外の固定幼児用遊具としても活用でき、幼児が自主的に遊べるものである。
幼児用の遊具であるが、高さや大きさや重さを身長に合わせて成形すれば、小学生でも十分遊具として活用できる。
国際的にも、広く幼児用遊具として産業上の利用可能性がある。
【符号の説明】
【００５７】
１          幼児用遊具（本体）
１ａ        パネル（平面板体）
１ｂ        パネル（平面板体）
１ｃ        パネル（平面板体）
１ｄ        パネル（平面板体）
１ｅ        パネル（平面板体）
１ｆ        パネル（平面板体）
１１        パネルの端部
１２        小孔
２          接続手段
２１        スペーサー
２２        リング
３          パネルとパネルの間隔        
４・４０    固定部
５          補強の管
６          緩衝バー
【図１】
0003177907.tif 000003
【図２】
0003177907.tif 000004
【図３】
0003177907.tif 000005
【図４】
0003177907.tif 000006
【図５】
0003177907.tif 000007
【図６】
0003177907.tif 000008
【図７】
0003177907.tif 000009